(57)【要約】  【課題】低コストでありながら温度や湿度の変化の影響が少ない実像式変倍ファインダー及びそれを備えた撮像装置を提供する。特に、ファインダー倍率の変倍比が１．７程度のものに適した実像式変倍ファインダー及びそれを備えた撮像装置を提供する。  【解決手段】物体の中間像を形成する正屈折力の対物光学系１、中間像位置近傍の視野枠４、中間像を観察する瞳を形成する正屈折力の接眼光学系５、光路を折り曲げて正立正像化する正立正像光学面を有する。対物光学系１は、負の単レンズＬ１１、正の単レンズＬ１２を有し、変倍時に互いのレンズを間隔を変更し且つ移動する。接眼光学系５は、中間像位置近傍に入射面を持つプリズムＰ５１と、正の単レンズＬ５２を有する。正立正像光学面は中間像位置前後に分割配置されている。屈折力を持つレンズ及びプリズムは、総数が４個であり、プラスチックで構成されている。【選択図】  図１
2005156994.tif 000002
【特許請求の範囲】
【請求項１】
物体の像を中間像として形成する正の屈折力を持つ対物光学系と、前記中間像位置の近傍に配置された視野枠と、前記中間像を観察するための瞳を形成する正の屈折力を持つ接眼光学系を備え、これらの光路の途中に、光路を折り曲げて正立正像化する正立正像光学面を有する実像式変倍ファインダーであって、
前記対物光学系は、物体側から順に、単レンズである負レンズと、単レンズである正レンズを有し、変倍に際して前記負レンズと前記正レンズとの間隔を変更しながら双方のレンズを移動し、
前記接眼光学系は、前記中間像位置の近傍に入射面を持つプリズムと、単レンズである正レンズを有し、
前記正立正像光学面は、前記中間像位置の前後に分割されて配され、
実像式変倍ファインダー全系で屈折力を有するレンズ及びプリズムの総数が４個で構成され、且つこれらのレンズ及びプリズムがプラスチックで構成されていることを特徴とする実像式変倍ファインダー。
【請求項２】
前記対物光学系の前記正レンズが最も中間像に近づいた状態での、前記正レンズの前記瞳側の面頂位置近傍に、該対物光学系の変倍状態にかかわらず位置が固定のフレア絞りを備えていることを特徴とする請求項１に記載の実像式変倍ファインダー。
【請求項３】
前記対物光学系の前記負レンズの焦点距離をｆｎ、前記対物光学系の前記正レンズの焦点距離をｆｐとしたとき、次の条件式(1)を満足することを特徴とする請求項１又は２に記載の実像式変倍ファインダー。
０．８＜｜ｆｎ／ｆｐ｜＜１．８                          …(1)
【請求項４】
次の条件式(1-1)を満足することを特徴とする請求項３に記載の実像式変倍ファインダー。
１＜｜ｆｎ／ｆｐ｜＜１．６                              …(1-1)
【請求項５】
前記対物光学系の前記負レンズの焦点距離をｆｎ、前記接眼光学系の正レンズとプリズムとの合成焦点距離をｆｅとしたとき、次の条件式(2)を満足することを特徴とする請求項１〜４のいずれかに記載の実像式変倍ファインダー。
０．１５＜｜ｆｎ／ｆｅ｜＜０．９                        …(2)
【請求項６】
次の条件式(2-1)を満足することを特徴とする請求項５に記載の実像式変倍ファインダー。
０．２＜｜ｆｎ／ｆｅ｜＜０．８                          …(2-1)
【請求項７】
前記プリズムの入射面が物体側に凸面を向けていることを特徴とする請求項１〜６のいずれかに記載の実像式変倍ファインダー。
【請求項８】
前記接眼光学系の前記プリズムの射出面が、平面で構成され、該接眼光学系の前記正レンズが、瞳側の面よりも物体側の面のほうが曲率半径の絶対値が小さい両凸レンズであり、且つ、該両凸レンズの物体側の面が非球面であることを特徴とする請求項７に記載の実像式変倍ファインダー。
【請求項９】
前記中間像と前記プリズムの入射面との距離をＤｃｅ、前記接眼光学系のプリズムと正レンズとの合成焦点距離をｆｅとしたとき、次の条件式(3)を満足することを特徴とする請求項７に記載の実像式変倍ファインダー。
−０．１＜Ｄｃｅ／ｆｅ＜０．３                          …(3)
【請求項１０】
次の条件式(3-1)を満足することを特徴とする請求項９に記載の実像式変倍ファインダー。
−０．０５＜Ｄｃｅ／ｆｅ＜０．１                        …(3-1)
【請求項１１】
前記対物光学系の前記正レンズの射出面と前記フレア絞りまでの距離が最小となる光軸上での距離をＤｐｓ、前記接眼光学系のプリズムと正レンズとの合成焦点距離をｆｅとしたとき、次の条件式(4)を満足することを特徴とする請求項２に記載の実像式変倍ファインダー。
−０．１＜Ｄｐｓ／ｆｅ＜０．３                          …(4)
【請求項１２】
次の条件式(4-1)を満足することを特徴とする請求項１１に記載の実像式変倍ファインダー。
−０．０５＜Ｄｐｓ／ｆｅ＜０．１                        …(4-1)
【請求項１３】
請求項１〜１３のいずれかに記載の実像式変倍ファインダーと、前記ファインダーにて観察される被写体を撮影する撮像光学系とを備えたことを特徴とする撮像装置。
【発明の詳細な説明】
【技術分野】
【０００１】
本発明は、実像式変倍ファインダー及びそれを用いた撮像装置に関する。
【背景技術】
【０００２】
従来、撮像装置、特に低価格のレンズシャッター式カメラにおいては、ズームレンズを搭載したものでも虚像式ファインダーが多く用いられている。しかし、このような虚像式ファインダーは、視野枠が視認しづらく、またレンズ自体が大きくなる。このため、この種のレンズシャッター式カメラにおいても実像式ファインダーが用いられるようになってきている。
【発明の開示】
【発明が解決しようとする課題】
【０００３】
また、従来は、簡易な構成の実像式変倍ファインダーにおいても、屈折率を持つレンズやプリズムを５個以上用いて構成したものが多く、低コスト化のためには部品点数を減らすことが望まれている。また、多くの場合二つのプリズムを用いて正立系を構成しており、プリズムをプラスチックで形成しても、成形時間が長くかかるなどコスト面では不利であった。
また、屈折力を持つプリズムやレンズをプラスチックの媒質で満たす部材とすると、結像性能が温度や湿度の変化による影響を受けやすくなってしまう。
【０００４】
本発明は、このような課題に鑑みてなされたものであり、低コストでありながら温度や湿度の変化の影響が少ない実像式変倍ファインダー及びそれを備えた撮像装置を提供することを目的とする。特に、ファインダー倍率の変倍比が１．７程度のものに適した実像式変倍ファインダー及びそれを備えた撮像装置を提供することを目的とする。
【課題を解決するための手段】
【０００５】
上記目的を達成するため本発明による実像式変倍ファインダーは、物体の像を中間像として形成する正の屈折力を持つ対物光学系と、前記中間像位置の近傍に配置された視野枠と、前記中間像を観察するための瞳を形成する正の屈折力を持つ接眼光学系を備え、これらの光路の途中に、光路を折り曲げて正立正像化する正立正像光学面を有する実像式変倍ファインダーであって、前記対物光学系は、物体側から順に、単レンズである負レンズと、単レンズである正レンズを有し、変倍に際して前記負レンズと前記正レンズとの間隔を変更しながら双方のレンズを移動し、前記接眼光学系は、前記中間像位置の近傍に入射面を持つプリズムと、単レンズである正レンズを有し、前記正立正像光学面は、前記中間像位置の前後に分割されて配され、実像式変倍ファインダー全系で屈折力を有するレンズ及びプリズムの総数が４個で構成され、且つこれらのレンズ及びプリズムがプラスチックで構成されていることを特徴としている。
【０００６】
また、本発明による実像式変倍ファインダーは、好ましくは、前記対物光学系の前記正レンズが最も中間像に近づいた状態での、前記正レンズの前記瞳側の面頂位置近傍に、該対物光学系の変倍状態にかかわらず位置が固定のフレア絞りを備えていることを特徴としている。
【０００７】
また、本発明による実像式変倍ファインダーは、好ましくは、前記対物光学系の前記負レンズの焦点距離をｆｎ、前記対物光学系の前記正レンズの焦点距離をｆｐとしたとき、次の条件式(1)を満足することを特徴としている。
０．８＜｜ｆｎ／ｆｐ｜＜１．８                          …(1)
【０００８】
また、本発明による実像式変倍ファインダーは、好ましくは、次の条件式(1-1)を満足することを特徴としている。
１＜｜ｆｎ／ｆｐ｜＜１．６                              …(1-1)
【０００９】
また、本発明による実像式変倍ファインダーは、好ましくは、前記対物光学系の前記負レンズの焦点距離をｆｎ、前記接眼光学系の正レンズとプリズムとの合成焦点距離をｆｅとしたとき、次の条件式(2)を満足することを特徴としている。
０．１５＜｜ｆｎ／ｆｅ｜＜０．９                        …(2)
【００１０】
また、本発明による実像式変倍ファインダーは、好ましくは、次の条件式(2-1)を満足することを特徴としている。
０．２＜｜ｆｎ／ｆｅ｜＜０．８                          …(2-1)
【００１１】
また、本発明による実像式変倍ファインダーは、好ましくは、前記プリズムの入射面が物体側に凸面を向けていることを特徴としている。
【００１２】
また、本発明による実像式変倍ファインダーは、好ましくは、前記接眼光学系の前記プリズムの射出面が、平面で構成され、該接眼光学系の前記正レンズが、瞳側の面よりも物体側の面のほうが曲率半径の絶対値が小さい両凸レンズであり、且つ、該両凸レンズの物体側の面が非球面であることを特徴としている。
【００１３】
また、本発明による実像式変倍ファインダーは、好ましくは、前記中間像と前記プリズムの入射面との距離をＤｃｅ、前記接眼光学系のプリズムと正レンズとの合成焦点距離をｆｅとしたとき、次の条件式(3)を満足することを特徴としている。
−０．１＜Ｄｃｅ／ｆｅ＜０．３                          …(3)
【００１４】
また、本発明による実像式変倍ファインダーは、好ましくは、次の条件式(3-1)を満足することを特徴としている。
−０．０５＜Ｄｃｅ／ｆｅ＜０．１                        …(3-1)
【００１５】
また、本発明による実像式変倍ファインダーは、好ましくは、前記対物光学系の前記正レンズの射出面と前記フレア絞りまでの距離が最小となる光軸上での距離をＤｐｓ、前記接眼光学系のプリズムと正レンズとの合成焦点距離をｆｅとしたとき、次の条件式(4)を満足することを特徴としている。
−０．１＜Ｄｐｓ／ｆｅ＜０．３                          …(4)
【００１６】
また、本発明による実像式変倍ファインダーは、好ましくは、次の条件式(4-1)を満足することを特徴としている。
−０．０５＜Ｄｐｓ／ｆｅ＜０．１                        …(4-1)
【００１７】
また、本発明による撮像装置は、上記いずれかの本発明による実像式変倍ファインダーと、前記ファインダーにて観察される被写体を撮影する撮像光学系とを備えたことを特徴としている。
【発明の効果】
【００１８】
本発明によれば、低コストでありながら温度や湿度の変化の影響が少ない実像式変倍ファインダー及びそれを備えた撮像装置が得られる。特に、ファインダー倍率の変倍比が１．７程度のものに適した実像式変倍ファインダー及びそれを備えた撮像装置が得られる。
【発明を実施するための最良の形態】
【００１９】
実施例の説明に先立ち、本発明の作用効果について説明する。
本発明では、物体の像を中間像として形成する正の屈折力を持つ対物光学系と、前記中間像位置の近傍に配置された視野枠と、前記中間像を観察するための瞳を形成する正の屈折力を持つ接眼光学系を備え、これらの光路の途中に、光路を折り曲げて正立正像化する正立正像光学面を有する実像式変倍ファインダーにおいて、前記対物光学系を、物体側から順に、単レンズである負レンズと単レンズである正レンズを有し、変倍に際して前記負レンズと前記正レンズとの間隔を変更しながら双方のレンズを移動するように構成している。本発明のように、対物光学系を、変倍機能を有する最小枚数のレンズのみで構成し、比較的高コストとなるプリズムを極力持たないようにすれば、部品コストを抑えることができるとともに、温度や湿度の変化による影響を減らすことができる。
【００２０】
また、本発明の実像式変倍ファインダーでは、前記接眼光学系を、前記中間像位置の近傍に入射面を持つプリズムと、単レンズである正レンズを有して構成している。このように、中間像位置付近に入射面を持つプリズムを用いれば、ターゲットマークなどの視野内表示を刻印することが容易となる。また、接眼光学系を、プリズムを有して構成すれば、接眼光学系の焦点距離を長くすることなく、正立正像作用の一部を担わせることができる。また、接眼光学系において、最も瞳側にあるレンズを独立して構成すれば、プラスチックプリズムの個々の製造誤差のばらつきによる中間結像面の視度のズレを組立時に容易に補正することができ、組立も含めて低コスト化を達成できる。
【００２１】
また、本発明の実像式変倍ファインダーでは、実像式変倍ファインダー全系で屈折力を有するレンズ及びプリズムの総数が４個で構成され、且つこれらのレンズ及びプリズムがプラスチックで構成されている。このように構成すれば、全体として安価な構成であり且つ適度な変倍比や収差補正性能といった光学性能も確保しやすく、視度変化の少ない実像式変倍ファインダーが得られる。
【００２２】
なお、本発明の実像式変倍ファインダーにおいては、ファインダーの前後にカバー部材を配してもよい。また、視野枠は、有効領域にて空間もしくは透明部材が配されるものや、プリズムの入射面に黒塗りにて示したものでもよい。
【００２３】
また、本発明の実像式変倍ファインダーにおいては、前記対物光学系の前記正レンズがもっとも中間像に近づいた状態での、前記正レンズの前記瞳側の面頂位置近傍に、該対物光学系の変倍状態にかかわらず位置が固定のフレア絞りを備えるのが好ましい。
対物光学系の光学性能の劣化を防ぐために、移動可能なレンズに対して塗装や遮光部材などでフレア絞りを設けることは、その分の作業や部材の追加となり製造コストを増やすことになる。しかるに、本発明の実像式変倍ファインダーのように、正の単レンズが最も中間結像面に近づいた状態での瞳側の面頂位置付近に、固定のフレア絞りを配置すれば、光軸方向に移動する遮光手段を構成することなく、フレアの低減に有利となる。しかも、レンズ移動の妨げになることもなく、ファインダーを構成する構造部材（ハウジング部分の部材）でフレア絞りを作ることができる。したがって、コストを増加させることなく効果的にフレアを抑えることができる。
【００２４】
また、本発明の実像式変倍ファインダーにおいては、前記対物光学系の前記負レンズの焦点距離をｆｎ、前記対物光学系の前記正レンズの焦点距離をｆｐとしたとき、次の条件式(1)を満足するのが好ましい。
０．８＜｜ｆｎ／ｆｐ｜＜１．８                          …(1)
条件式(1)を満足すれば、少ない構成枚数でコンパクト性と収差補正の両立を達成するのが容易となる。
条件式(1)の上限値を上回ると、正レンズのパワーが強くなりすぎ収差補正が難くなってしまう。
一方、条件式(1)の下限値を下回ると、正レンズのパワーが弱くなりすぎコンパクト性を確保し難くなってしまう。
【００２５】
また、本発明の実像式変倍ファインダーにおいては、前記条件式(1)に換えて次の条件式(1-1)を満足するのがより好ましい。
１＜｜ｆｎ／ｆｐ｜＜１．６                              …(1-1)
条件式(1-1)を満足すれば、コンパクト性と収差補正のバランスをより取りやすくなる。
なお、条件式(1)に対して、条件式(1-1)の上限値、下限値のいずれかを限定してもよい。
更には、条件式(1)に対して、下限値を１．２としてもよく、上限値を１．４としてもよい。
【００２６】
また、本発明の実像式変倍ファインダーにおいては、前記対物光学系の前記負レンズの焦点距離をｆｎ、前記接眼光学系の正レンズとプリズムとの合成焦点距離をｆｅとしたとき、次の条件式(2)を満足するのが好ましい。
０．１５＜｜ｆｎ／ｆｅ｜＜０．９                        …(2)
条件式(2)を満足すれば、少ない構成枚数で、コンパクト性と収差補正の両立を達成することが容易となる。
条件式(2)の上限値を上回ると、負レンズのパワーが弱くなりすぎてしまう一方、条件式(2)の下限値を下回ると、負レンズのパワーが強くなりすぎてしまう。いずれも変倍における負レンズの移動のバランスが悪くなり、コンパクト性の確保がし難くなってしまう。
【００２７】
また、本発明の実像式変倍ファインダーにおいては、前記条件式(2)に換えて次の条件式(2-1)を満足するのがより好ましい。
０．２＜｜ｆｎ／ｆｅ｜＜０．８                          …(2-1)
条件式(2-1)は、コンパクト化をより行いやすくするための条件式である。
なお、条件式(2)に対して、条件式(2-1)の上限値、下限値のいずれかを限定してもよい。
更には、条件式(2)に対して、下限値を０．４としてもよく、上限値を０．６としてもよい。
【００２８】
また、本発明の実像式変倍ファインダーにおいては、前記プリズムの入射面が物体物体側に凸面を向けているのが好ましい。
このように構成すれば、プリズムの入射面にコンデンサーレンズの役割を持たせることができ、ファインダー全体の小型化に有利となる。
【００２９】
また、本発明の実像式変倍ファインダーにおいては、前記プリズムの射出面が平面であり、前記接眼光学系の正レンズが瞳側の面よりも物体側の面のほうが曲率半径の絶対値が小さい両凸レンズであり、且つ、両凸レンズの物体側の面が非球面であるように構成するのが好ましい。
前記プリズムの射出面を平面とすれば、製造コストや温度や湿度の変化の影響を抑えることができる。その際、接眼光学系の正レンズの収差補正負担が大きくなるが、瞳側の面よりも物体側の面のほうが曲率半径の絶対値が小さい両凸レンズ形状とし、物体側面を非球面にて構成すれば、軸上から軸外にかけての収差を抑えやすくなる。
【００３０】
また、本発明の実像式変倍ファインダーにおいては、前記中間像と前記プリズムの入射面との距離をＤｃｅ、前記接眼光学系のプリズムと正レンズとの合成焦点距離をｆｅとしたとき、次の条件式(3)を満足するのが好ましい。
−０．１＜Ｄｃｅ／ｆｅ＜０．３                          …(3)
条件式(3)を満足すれば、実像式変倍ファインダーを小型化しやすくなる。
条件式(3)の下限値を下回ると、プリズムの入射面の頂点が視野枠よりも物体側に位置することになり、構成が難しくなる。一方、条件式(3)の上限値を上回ると、中間像とプリズムの凸入射面の距離が離れることになり小型化が難しくなる。また、プリズムの入射面にターゲットを設ける場合、中間像とターゲットとの視度差が無視できなくなる。
【００３１】
また、本発明の実像式変倍ファインダーにおいては、条件式(3)に換えて次の条件式(3-1)を満足するのが好ましい。
−０．０５＜Ｄｃｅ／ｆｅ＜０．１                        …(3-1)
条件式(3-1)は、コンパクト化をより行いやすくするための条件式である。
なお、条件式(3)に対して、条件式(3-1)の上限値、下限値のいずれかを限定してもよい。
更には、条件式(3)に対して、下限値を−０．０１としてもよく、上限値を０．０５としてもよい。
【００３２】
また、本発明の実像式変倍ファインダーにおいては、前記対物光学系の前記正レンズの射出面と前記フレア絞りまでの距離が最小となる光軸上での距離をＤｐｓ、前記接眼光学系のプリズムと正レンズとの合成焦点距離をｆｅとしたとき、次の条件式(4)を満足するのが好ましい。
−０．１＜Ｄｐｓ／ｆｅ＜０．３                          …(4)
条件式(4)を満足すれば、フレア低減とコンパクト化に有利となる。
条件式(4)の下限値を下回ると、正レンズの射出面の頂点がフレア絞りよりも像側に位置することになり、構成が難しくなる。一方、条件式(4)の上限値を上回ると、フレア絞りと正立正像のための部材とが干渉しやすくなり小型化がし難くなる。
【００３３】
また、本発明の実像式変倍ファインダーにおいては、条件式(4)に換えて次の条件式(4-1)を満足するのが好ましい。
−０．０５＜Ｄｐｓ／ｆｅ＜０．１                        …(4-1)
条件式(4-1)は、コンパクト化をより行いやすくするための条件式である。
なお、条件式(4)に対して、条件式(4-1)の上限値、下限値のいずれかを限定してもよい。
更には、条件式(4)に対して、下限値を−０．０１としてもよく、上限値を０．０５としてもよい。
【００３４】
また、本発明による撮像装置は、上記いずれかの本発明による実像式変倍ファインダーと、前記ファインダーにて観察される被写体を撮影する撮像光学系とを備えている。
本発明の実像式変倍ファインダーは低コストであるのでコンパクトカメラに好適である。
【実施例１】
【００３５】
図１は本発明の実施例１にかかる実像式変倍ファインダーの光学構成を示す光軸に沿う断面図であり、広角端無限遠物点合焦時の状態を示している。図２は図１に示した実像式変倍ファインダーの光学構成を直線状に変換して示す光軸に沿う断面図で、(a)は広角端、(b)は中間焦点距離、(c)は望遠端での状態を示している。図３は実施例１にかかる実像式変倍ファインダーの物点距離を３ｍとしたときの球面収差、非点収差、歪曲収差、倍率色収差を示す図で、(a)は広角端、(b)は中間焦点距離、(c)は望遠端での状態を示している。
【００３６】
実施例１の実像式変倍ファインダー光学系は、対物光学系１と、フレア絞り２と、ダハミラー３と、視野枠４と、接眼光学系５を有して構成されている。
対物光学系１は、物体側から順に、単レンズである両凹レンズＬ１１と、単レンズである両凸レンズＬ１２とを有し、全体として正の屈折力を持ち、物体の像を中間像として形成するように構成されている。
ダハミラー３は、第１のミラー面３ａと第２のミラー面３ｂ（図１ではミラー面が重なって見えている）を有している。
視野枠４は、中間像位置の近傍に配置されている。
接眼光学系５は、中間像位置の近傍に入射面５ａを持つプリズムＰ５１と、単レンズである両凸レンズＬ５２を有し、全体として正の屈折力を持ち、中間像を観察するための瞳Ｅを形成するように構成されている。プリズムＰ５１は、入射面５ａと、第１の反射面５ｂと、第２の反射面５ｃと、射出面５ｄを有している。プリズムＰ５１の入射面５ａは、物体側に凸面を向けている。プリズムＰ５１の射出面５ｄは平面形状に形成されている。
両凸レンズＬ５２は、瞳側の面Ｌ５２ｂよりも物体側の面Ｌ５２ａのほうが曲率半径の絶対値が小さくなっている。また、両凸レンズＬ５２の物体側の面Ｌ５２ａは非球面に形成されている。
ダハミラー３の２つのミラー面３ａ，３ｂと、プリズムＰ５１の２つの反射面５ｂ，５ｃは、中間像位置の前後に分割された配置となっている。そして、これらの反射面は、正立正像光学面を構成しており、ファインダーの光路の途中において、光路を折り曲げて正立正像化する作用を持っている。
【００３７】
広角端から望遠端への変倍に際しては、両凹レンズＬ１１は、一旦、瞳側へ僅かに移動した後に物体側に移動し、両凸レンズＬ１２は、物体側へ移動する。フレア絞り２は対物光学系１の変倍状態にかかわらず位置が固定されている。
【００３８】
次に、実施例１の実像式変倍ファインダーを構成する光学部材の数値データを示す。
なお、実施例１の数値データにおいて、ωは半画角、Ｄ１，Ｄ２は可変間隔を表している。
また、非球面形状は、光軸方向をｚ、光軸に直交する方向をｙにとり、円錐係数をＫ、非球面係数をＡ4、Ａ6、Ａ8、Ａ10としたとき、次の式で表される。
ｚ＝（ｙ2／ｒ）／［１＋｛１−（１＋Ｋ）（ｙ／ｒ）2｝1/2］
＋Ａ4ｙ4＋Ａ6ｙ6＋Ａ8ｙ8＋Ａ10ｙ10
数値データ１
半画角ω          ２５．９〜１８．１〜１３．０（°）
ファインダー倍率  ０．３９〜０．５４〜０．７３
瞳径（直径）      ４ｍｍ
2005156994.tif 000003
第５面：フレア絞り、第６面：中間結像面及び視野枠
ＥＰ：アイポイント（射出瞳）
【００３９】
非球面係数
2005156994.tif 000004
可変間隔
2005156994.tif 000005
【００４０】
条件式パラメータ
対物光学系  負レンズの焦点距離                ｆｎ＝-11.16ｍｍ
対物光学系  正レンズの焦点距離                ｆｐ＝8.49ｍｍ
接眼レンズ  プリズムと正レンズの合成焦点距離  ｆｅ＝21.02ｍｍ
中間像とプリズムの凸入射面の距離              Ｄｃｅ＝0.00ｍｍ
対物光学系  正レンズの射出面頂点とフレア絞りまでの最小距離
Ｄｐｓ＝0.00ｍｍ
｜ｆｎ／ｆｐ｜＝｜−１１.１６/８.４９｜＝  1.31
｜ｆｎ／ｆｅ｜＝｜−11．16／21.02｜＝      0.53
Ｄｃｅ／ｆｅ  ＝  0.00／21.02  ＝          0.00
Ｄｐｓ／ｆｅ  ＝  0.00／21.02  ＝          0.00
【００４１】
また、本発明による実像式変倍ファインダーでは、反射面による光路の折り曲げ方は、光軸を三次元的に折り曲げる構成としてもよい。例えば、１回反射ミラーと３回反射プリズムを用いてポロミラー、ポロプリズムの配置としたり、２回反射ミラーと２回反射プリズムを用いた配置とすることができる。
【００４２】
また、本発明の実像式変倍ファインダーは、図４に斜視図で、図５に断面図でそれぞれ示したような構成のコンパクトカメラ撮影用ファインダーとして用いられる。図４中、Ｌｂは撮影用光路、Ｌｅはファインダー用光路を示している。なお、図示の便宜上、図５では図２に合わせてファインダー光学系の光路を折り曲げないで示してある。また、撮影用対物レンズは構成を省略して示してある。被写体の像は、図５に示すように、本発明の例えば実施例１の構成を備えた、ファインダー用対物レンズ１、フレア絞り２、図２と同様に図示省略されているダハミラーと、視野枠４、接眼光学系５からなるファインダーにより観察され、また、撮影用対物レンズによりフィルム上に結像される。
【図面の簡単な説明】
【００４３】
【図１】本発明の実施例１にかかる実像式変倍ファインダーの光学構成を示す光軸に沿う断面図であり、広角端無限遠物点合焦時の状態を示している。
【図２】図１に示した実像式変倍ファインダーの光学構成を直線上に変換して示す光軸に沿う断面図で、(a)は広角端、(b)は中間焦点距離、(c)は望遠端での状態を示している。
【図３】実施例１にかかる実像式変倍ファインダーの無限遠合焦点時での球面収差、非点収差、歪曲収差、倍率色収差を示す図で、(a)は広角端、(b)は中間焦点距離、(c)は望遠端での状態を示している。
【図４】本発明の実像式変倍ファインダーを用いた撮像装置の一例であるコンパクトカメラを示す斜視図である。
【図５】図４のコンパクトカメラの断面図である。
【符号の説明】
【００４４】
１          対物光学系
２          フレア絞り
３          ダハミラー
３ａ，３ｂ  ミラー面
４          視野枠
５          接眼光学系
５ａ        入射面
５ｂ，５ｃ  反射面
５ｄ        射出面
Ｌ１１      両凹レンズ
Ｌ１２      両凸レンズ
Ｐ５１      プリズム
Ｌｂ        撮影用光路
Ｌｅ        ファインダー用光路
【図１】
2005156994.tif 000006
【図２】
2005156994.tif 000007
【図３】
2005156994.tif 000008
【図４】
2005156994.tif 000009
【図５】
2005156994.tif 000010